(57)【要約】  【課題】  不意の衝撃などでアンテナに負荷が加わったときの損傷を防ぐことができるアンテナ装置を提供する。  【解決手段】  アンテナはコネクタ１３に接続される。ベース部１１は、コネクタ１３を回動可能に支持する。弾性位置決め機構２１は、コネクタ１３を所定のセット位置に位置決めする機構であり、セット位置から回動したコネクタ１３にセット位置へ復帰する弾性力を付与する。ベース部１１は、固定ベース部１５と、固定ベース部１５に対して回動可能に支持されると共にコネクタ１３を支持した回動ベース部１７と、操作部に対する操作に連動して回動ベース部１７を固定ベース部１５に対して起立位置と横臥位置の間で回動させるベース駆動機構１９とを備えている。【選択図】  図１
2006304064.tif 000002
【特許請求の範囲】
【請求項１】
アンテナと、
前記アンテナが接続されるコネクタと、
前記コネクタを回動可能に支持するベース部と、
前記ベース部に備えられ、前記コネクタを所定のセット位置に位置決めする弾性位置決め機構とを備え、前記弾性位置決め機構は、前記セット位置から回動した前記コネクタに前記セット位置へ復帰する弾性力を付与する機構であることを特徴とするアンテナ装置。
【請求項２】
前記コネクタは、互いに交差した第１の回動軸および第２の回動軸によって前記ベース部に支持されており、
前記弾性位置決め機構は、第１の回動軸を中心として前記コネクタと共に回動する第１の位置決め部材と、前記第２の回動軸を中心として前記コネクタと共に回動する第２の位置決め部材と、前記第１の位置決め部材の回動に対抗する弾性力を前記第１の位置決め部材に付与する第１の弾性部材と、前記第２の位置決め部材の回動に対抗する弾性力を前記第２の位置決め部材に付与する第２の弾性部材とを備えたことを特徴とする請求項１に記載のアンテナ装置。
【請求項３】
前記ベース部は、
固定ベース部と、
前記固定ベース部に対して回動可能に支持されると共に前記コネクタを支持した回動ベース部と、
操作部と、
前記操作部に対する操作に連動して前記回動ベース部を前記固定ベース部に対して起立位置と横臥位置の間で回動させるベース駆動機構と、
を備えたことを特徴とする請求項１または２に記載のアンテナ装置。
【請求項４】
前記ベース駆動機構は、
前記操作部であるボタンに連結されておりボタン操作に連動してスライド可能に前記固定ベース部に備えられたスライドフレームと、
前記スライドフレームの駆動ギヤと前記回動ベース部の従動ギヤを有し、前記スライドフレームのスライドに応じて前記回動ベース部を回動させるギヤ機構と、
前記ギヤ機構が前記回動ベース部を前記起立位置に回動した状態で前記スライドフレームを保持する起立状態保持機構と、
前記ギヤ機構が前記回動ベース部を前記横臥位置に回動した状態で前記スライドフレームを保持する横臥状態保持機構と、
を備えたことを特徴とする請求項３に記載のアンテナ装置。
【請求項５】
２本のアンテナが並んで立つように配置されており、前記２本のアンテナをそれぞれ保持する２つのコネクタおよび２つのベース部を備え、各ベースの前記ベース駆動部による横臥方向が相手のベース部を向くように前記２つのベース部が配置されていることを特徴とする請求項３または４に記載のアンテナ装置。
【請求項６】
アンテナが接続されるコネクタと、
前記コネクタを回動可能に支持するベース部と、
前記ベース部に備えられ、前記コネクタを所定のセット位置に位置決めする弾性位置決め機構とを備え、前記弾性位置決め機構は、前記セット位置から回動した前記コネクタに前記セット位置へ復帰する弾性力を付与する機構であることを特徴とするアンテナ保持装置。
【請求項７】
前記ベース部は、
固定ベース部と、
前記固定ベース部に対して回動可能に支持されると共に前記コネクタを支持した回動ベース部と、
操作部と、
前記操作部に対する操作に連動して前記回動ベース部を前記固定ベース部に対して起立位置と横臥位置の間で回動させるベース駆動機構と、
を備えたことを特徴とする請求項６に記載のアンテナ保持装置。
【請求項８】
並んで立つように配置された２本のアンテナをそれぞれ保持する２つのコネクタおよび２つのベース部を備え、各ベースの前記ベース駆動部による横臥方向が相手のベース部を向くように前記２つのベース部が配置されていることを特徴とする請求項７に記載のアンテナ保持装置。
【請求項９】
請求項１ないし５のいずれかに記載のアンテナ装置を備えたことを特徴とする電子機器。
【請求項１０】
請求項６ないし８のいずれかに記載のアンテナ保持装置を備えたことを特徴とする電子機器。
【発明の詳細な説明】
【技術分野】
【０００１】
本発明は、ワイヤレス受信機等の電子機器で使用されるアンテナ装置に関する。
【背景技術】
【０００２】
従来のアンテナ装置は、図１３に示されるように、電子機器の上面にアンテナを支持するように構成されている。図１３の例では、電子機器が受信機２０１であり、アンテナ２０３は、受信機２０１の上面のコネクタ２０５に差し込まれ、回転されて、受信機２０１に固定されている。２本のアンテナ２０３が離れて配置されて、ワイヤレス受信機のダイバーシティアンテナを構成している。使用時は、アンテナ２０３は、常に９０度の角度で立った姿勢で固定されている。収納時は、アンテナ２０３が受信機２０１から取り外される。そして、受信機２０１とアンテナ２０３が別々に収納される。
【０００３】
このような受信機およびアンテナは、例えば、ＥＮＧ（electronic news gathering）およびＥＦＰ（electric field production）の分野で使用される。受信機がＥＮＧカメラの後部に装着されて、報道取材に使用される。また、受信機は、携帯型ミキサーおよびバッテリなどと共にバックに入れて持ち運ばれ、ＥＦＰの番組制作に使用される。
【０００４】
また、特許文献１は、携帯電話等の携帯型無線通信装置に備えられるアンテナ装置を開示している。アンテナは、機器本体に対して回転することによって収納可能に備えられている。
【特許文献１】特開２００１−１７７３１５号公報（第２−３ページ、図１）
【発明の開示】
【発明が解決しようとする課題】
【０００５】
しかしながら、図１３に示したような従来のアンテナ装置は、アンテナが受信機に固定されているために、不意の衝撃などでアンテナに加わる負荷をアンテナおよび電子機器が直に受け、アンテナおよび電子機器が損傷する可能性があるといった問題があった。また、アンテナと電子機器が分離されているため、アンテナのセッティングおよび収納作業に手間と時間がかかるという問題があった。特に、ＥＮＧおよびＥＦＰなどの受信機のアンテナの場合、現場の状況を考慮すると、アンテナへの負荷による損傷の防止が望まれ、さらに、セッティングと収納の迅速化が強く望まれる。
【０００６】
特許文献１のアンテナ装置は、アンテナに負荷が加わると倒れるので損傷を防止できる。しかし、上述のワイヤレス受信機の例のようにアンテナの使用時の角度が決まっている場合には、アンテナの損傷を防ぐことはできても、肝心のアンテナ機能を得られなくなってしまうという問題がある。
【０００７】
また、弾性的に屈曲可能なアンテナも知られている。しかし、この従来技術は一部の場合にしか適用できない。すなわち、屈曲不能なアンテナを使うことが前提になっている場合には、この従来技術は適用できない。
【０００８】
本発明は、従来の問題を解決するためになされたもので、その目的は、不意の衝撃などでアンテナに負荷が加わったときの損傷を防ぐことができるアンテナ装置を提供することにある。
【課題を解決するための手段】
【０００９】
本発明のアンテナ装置は、アンテナと、前記アンテナが接続されるコネクタと、前記コネクタを回動可能に支持するベース部と、前記ベース部に備えられ、前記コネクタを所定のセット位置に位置決めする弾性位置決め機構とを備え、前記弾性位置決め機構は、前記セット位置から回動した前記コネクタに前記セット位置へ復帰する弾性力を付与する機構である。
【００１０】
この構成により、アンテナが接続されるコネクタを所定のセット位置に弾力的に位置決めする機構が備えられる。この機構では、コネクタの回動が許容されるが、コネクタが回動すると弾性力が付与されて、コネクタが元の位置に戻る。アンテナ固定部根元のフレキシブルな傾斜が可能になり、アンテナに負荷がかかるとアンテナが倒れ、そして、負荷がなくなるとアンテナがセット位置に戻る。したがって、不意の衝撃などでアンテナに負荷が加わったときの損傷を防ぐことができる。
【００１１】
また、本発明のアンテナ装置において、前記コネクタは、互いに交差した第１の回動軸および第２の回動軸によって前記ベース部に支持されており、前記弾性位置決め機構は、第１の回動軸を中心として前記コネクタと共に回動する第１の位置決め部材と、前記第２の回動軸を中心として前記コネクタと共に回動する第２の位置決め部材と、前記第１の位置決め部材の回動に対抗する弾性力を前記第１の位置決め部材に付与する第１の弾性部材と、前記第２の位置決め部材の回動に対抗する弾性力を前記第２の位置決め部材に付与する第２の弾性部材とを備えている。
【００１２】
この構成により、２つの軸を中心としてアンテナを回動可能に支持し、各軸回りの回動に対抗する弾性力を付与するといった比較的簡単な構成によって、アンテナを弾力的に位置決めする機構を実現できる。
【００１３】
また、本発明のアンテナ装置において、前記ベース部は、固定ベース部と、前記固定ベース部に対して回動可能に支持されると共に前記コネクタを支持した回動ベース部と、操作部と、前記操作部に対する操作に連動して前記回動ベース部を前記固定ベース部に対して起立位置と横臥位置の間で回動させるベース駆動機構とを備えている。
【００１４】
この構成により、操作部に対する操作に連動してベース駆動機構が回動ベース部を固定ベース部に対して起立位置と横臥位置の間で回動させるので、アンテナのセッティングおよび収納作業の手間と時間を削減できる。
【００１５】
また、本発明のアンテナ装置において、前記ベース駆動機構は、前記操作部であるボタンに連結されており、ボタン操作に連動してスライド可能に前記固定ベース部に備えられたスライドフレームと、前記スライドフレームの駆動ギヤと前記回動ベース部の従動ギヤを有し、前記スライドフレームのスライドに応じて前記回動ベース部を回動させるギヤ機構と、前記ギヤ機構が前記回動ベース部を前記起立位置に回動した状態で前記スライドフレームを保持する起立状態保持機構と、前記ギヤ機構が前記回動ベース部を前記横臥位置に回動した状態で前記スライドフレームを保持する横臥状態保持機構とを備えている。
【００１６】
この構成により、操作部へのボタン操作に連動して固定ベース部に対してスライドするスライドフレームを設け、スライドフレームと回動ベース部にギヤ機構を設け、起立状態と横臥状態でスライドフレームを保持する機構を設けるといった比較的簡単な構成によって、ベース駆動機構を実現することができる。そして、ボタン操作で収納とセッティングが可能になり、作業の手間と時間を削減できる。
【００１７】
また、本発明のアンテナ装置では、２本のアンテナが並んで立つように配置されており、前記２本のアンテナをそれぞれ保持する２つのコネクタおよび２つのベース部を備え、各ベースの前記ベース駆動部による横臥方向が相手のベース部を向くように前記２つのベース部が配置されている。
【００１８】
この構成により、２本のアンテナがアンテナ長さの２倍以下の間隔で配置されるときに、それら２本のアンテナを並んでコンパクトに収納できる。ここで、本発明では、回動ベースを回動するベース駆動機構とコネクタの弾性位置決め機構との両方を備えている。これにより、ベース駆動機構の収納動作時に弾性位置決め機構が作用して、２つのアンテナが自然にすれ違うように向きを変える。すなわち、２つのアンテナは衝突して停止するのではなく、衝突した後にすれ違い、並んで横臥することになる。したがって、２つのベース部を電子機器上で単純に向き合わせる簡単な構成にも拘わらず、２つのアンテナを並んでコンパクトに収納でき、しかも、起立時には２つのアンテナを平行に立てることができる。特に、薄型の電子機器にダイバーシティ等の２本のアンテナを並んで立てるような構成では、上記のコンパクトな収納が非常に有効である。
【００１９】
本発明の別の態様はアンテナ保持装置であり、このアンテナ保持装置は、アンテナが接続されるコネクタと、前記コネクタを回動可能に支持するベース部と、前記ベース部に備えられ、前記コネクタを所定のセット位置に位置決めする弾性位置決め機構とを備え、前記弾性位置決め機構は、前記セット位置から回動した前記コネクタに前記セット位置へ復帰する弾性力を付与する機構である。この構成によっても、上述した本発明の利点が得られる。
【００２０】
また、別の態様は、上述のアンテナ装置またはアンテナ保持装置を備えた電子機器であり、電子機器は例えばワイヤレス受信機である。この構成によっても、上述した本発明の利点が得られる。
【発明の効果】
【００２１】
本発明は、アンテナが接続されるコネクタを所定のセット位置に弾力的に位置決めする機構を備えることにより、アンテナ固定部根元のフレキシブルな傾斜を可能にし、これにより、不意の衝撃などでアンテナに負荷が加わったときの損傷を防ぐことができるという効果を有するアンテナ装置を提供できる。
【発明を実施するための最良の形態】
【００２２】
以下、本発明の実施の形態のアンテナ装置について、図面を用いて説明する。
【００２３】
本発明の実施の形態に係るアンテナ装置を図１および図２に示す。図２は、アンテナ使用状態およびアンテナ収納状態における電子機器全体の構成を示している。本実施の形態では、電子機器が受信機１であり、より詳細には、ＥＮＧ、ＥＦＰ等のワイヤレス受信機である。アンテナ装置３は、アンテナ５とアンテナ保持部７で構成されており、アンテナ保持部７が受信機３の上部に備えられている。
【００２４】
アンテナ５は棒状であり、アンテナ５の断面は円形である。本実施の形態では、２本のアンテナ５が２つのアンテナ保持部７により保持されて、ダイバーシティアンテナが構成されている。２つのアンテナ保持部７の構成は同様であり、図示のように、受信機３の薄型筐体における上面の両端に配置されている。こうして、アンテナ装置３は２本のアンテナ５と２つのアンテナ保持部７で構成されている。（ただし、本発明の範囲内でアンテナが１本でもよい。また、上記構成にて、１本のアンテナとアンテナ保持部の組合せをアンテナ装置といってもよい）。
【００２５】
本実施の形態において、アンテナ使用状態では、アンテナ５はアンテナ保持部７に保持されて、垂直に起立している。アンテナ収納状態では、アンテナ５が倒される。後述するように、アンテナ５の起立と収納は、ボタン９に対するワンタッチ操作で実現される。
【００２６】
また、図２に矢印で示すように、アンテナ使用状態において、アンテナ５は任意の方向に倒れることができる。アンテナ５が倒れると、弾性力が付与されて、アンテナ５が元の起立状態に戻る。この機能は、アンテナ保持部７に備えられた機構によって実現される。
【００２７】
以下の説明では、図２のアンテナ５が横臥するときの方向（２本のアンテナ５を結ぶ線の方向）をＸ方向といい、Ｘ方向に垂直な方向をＹ方向ということにする。
【００２８】
図１はアンテナ保持部７の斜視図であり、アンテナ５は省略されている。アンテナ保持部７は、ベース部１１と、ベース部１１に支持されたコネクタ１３を備えている。ベース部１１は、固定ベース部１５と、固定ベース部１５に対して回動可能に支持された回動ベース部１７とを備えており、コネクタ１３は回動ベース部１７に支持されている。そして、コネクタ１３にアンテナ５の根元部分が装着される。
【００２９】
ベース部１１は、固定ベース部１５および回動ベース部１７と共にベース駆動機構１９を備えている。ベース駆動機構１９は、操作部であるボタン９に対する操作に連動して、回動ベース部１７を固定ベース１５に対して起立位置と横臥位置の間で回動させる。回動ベース部１７が起立位置にあるときはアンテナ５が起立し、回動ベース部１７が横臥位置にあるときはアンテナ５が横臥する。
【００３０】
また、ベース部１１の回動ベース部１７には、コネクタ１３を所定のセット位置に位置決めする弾性位置決め機構２１が備えられている。セット位置は、本実施の形態では受信機３の上面に対して垂直の位置である。弾性位置決め機構２１は、セット位置から回動したコネクタ１３にセット位置へ復帰する弾性力を付与する機構である。したがって、コネクタ１３に取り付けられたアンテナ５は、外力を受けたときに倒れることができ、外力がなくなったときに自然にセット位置に復帰できる。
【００３１】
以上に本実施の形態のアンテナ装置３の概略構成を説明した。以下、アンテナ装置３の詳細を説明する。以下の説明では、まず、弾性位置決め機構２１に関連して、コネクタ１３を支持する構成について説明する。その後で、ベース駆動機構１９に関連して、回動ベース１７を起立する構成について説明する。
【００３２】
図３は、アンテナ装置３のアンテナ保持部７の分解斜視図である。回動ベース部１７は、中空球体の形状を有しており、球体の上方部分が削除されている。回動ベース部１７には、第１制御板３１、第２制御板３３、コネクタカバー３５およびコネクタ１３が挿入されている。
【００３３】
コネクタ１３はＢＮＣコネクタである。コネクタ１３の下部には、図示されないアンテナケーブルがコネクタ１３の回動の邪魔にならないように接続されており、ケーブルは回動ベース１７の下の穴を通って機器内へ延びる。コネクタ１３は全体としては円筒形状を有している。コネクタ１３の下半部は被支持部である。被支持部では、Ｘ方向の両側で円筒面が削られて、平面が形成されている。そして、両側の平面の各々からＸ方向に突起軸３７が突出している。突起軸３７は円形断面を有している。また、コネクタ１３の下面からは、制御突起３９が下方に突出している。制御突起３９も円形断面を有している。
【００３４】
コネクタカバー３５は略直方体の形状を有しており、Ｙ方向に長い長穴４１を有している。コネクタカバー３５は、長穴４１を挟んでＸ方向の両側に貫通穴４３を有している。また、コネクタカバー３５は、長穴４１を挟んでＹ方向の両側にも貫通穴４５を有している。コネクタ１３の下半部は、コネクタカバー３５の長穴４１に嵌っており、両側の突起軸３７が貫通穴４３に通されており、これにより、コネクタ１３がＹ方向に回転可能に支持されている。コネクタ１３がＹ方向に回動するとき、長穴４１の平面部分が、コネクター１３の下半部の平面部分を案内する。
【００３５】
また、コネクタカバー３５のＹ方向の貫通穴４５には、Ｙ方向に延びるギヤシャフト５１が挿入されている。ギヤシャフト５１は、回動ベース部１７の穴を通り、第２制御板３３の穴を貫通して、貫通穴４５に入っている。ギヤシャフト５１により、コネクタカバー３５がＸ方向に回動可能に支持される。ギヤシャフト５１は、後述するように、回動ベース部１７に対しては固定されており、かつ、固定ベース部１５に回動回動可能に支持されている。
【００３６】
コネクタ１３は、上記の突起軸３７を中心にＹ方向に回動可能であり、かつ、ギヤシャフト５１を中心にＸ方向に回動可能である。したがって、コネクタ１３は、アンテナ５が任意の方向に傾くように回動できる。
【００３７】
図３と共に図４〜図６を参照すると、第１制御板３１および第２制御板３３は、半円形を作るように曲げられた帯状の板である。第１制御板３１および第２制御板３３は、円筒外面が下を向くようにして、重ねて配置されている。第１制御板３１および第２制御板３３は、９０度の角度で互いに交差しており、下側の第１制御板３１の円筒中心軸がＹ方向を向いており、上側の第２制御板３３の円筒中心軸がＸ方向を向いている。
【００３８】
第１制御板３１および第２制御板３３は、それぞれ、Ｘ方向およびＹ方向に回動可能に支持されている。より詳細には、第１制御板３１の両端部分が、回動ベース部１７のＸ方向の両側の内面に設けられたボス６１の穴に回転可能に保持されている。同様に、第２制御板３３の両端部分は、回動ベース部１７のＹ方向の両側にあるボス６３に保持されている。
【００３９】
また、第１制御板３１および第２制御板３３には、それぞれ、Ｘ方向およびＹ方向に長い長方形の制御穴６５、６７が開いている。そして、図５に示すように、コネクタ１３の下端の制御突起３９が、制御穴６５、６７を貫通している。図５では、制御突起３９でコネクタ１３が切断されており、コネクタカバー３５は省略されている。
【００４０】
次に、制御ばね７１、７３について説明する。制御ばね７１、７３は、ねじりばねである。制御ばね７１、７３の各々は、コイル部７５とその両側の第１端部７７、第２端部７９で構成される。コイル部７５は、ばね線材が円形に曲げられた部分であり、第１端部７７、第２端部７９は、ばね線材の両端の（コイル部７５の両側の）直線部分である。そして、第１端部７７および第２端部７９は、互いに平行である。
【００４１】
制御ばね７１、７３は互いに直角に配置されている。制御ばね７１のコイル部７５が、回動ベース部１７のＸ方向の内面に設けられたボス６１に嵌っている。制御ばね７３のコイル部７５は、Ｙ方向の内面に設けられたボス６３に嵌っている。そして、制御ばね７１、７３の両方において、第１端部７７、第２端部７９は下方に延びている。
【００４２】
図６は、図１、図３のアンテナ保持部７を奥側から見た図である。図３と共に図６を参照すると、制御ばね７１の第１端部７７、第２端部７９は、回動ベース部１７の穴を通り抜け、回動ベース部１７のベースリブ８１、８３と係合している。また、第１端部７７、第２端部７９は、第１制御板３１の曲げ突起８５、８７と係合している。ベースリブ８１、８３は、回動ベース部１７からＸ方向に突き出した棒状の突起である。曲げ突起８５、８７は、第１制御板３１からＸ方向に突き出した棒状の突起であり、第１制御板３１の素材の一部を折り曲げることによって形成された部分である。図６に示されるように、ベースリブ８１、８３は、それぞれ、第１端部７７、７９の外側に位置している。また、曲げ突起８５、８７も、それぞれ、第１端部７７、７９の外側に位置している。そして、ベースリブ８１、８３が、曲げ突起８５、８７より下方に位置している。
【００４３】
もう一つの制御ばね７３に対しても、ベースリブ８１、８３および曲げ突起８５、８７が同様の位置関係にて係合している。制御ばね７３に関しては、ベースリブ８１、８３、曲げ突起８５、８７は、回動ベース部１７および第２制御板３３からＹ方向に突き出している。
【００４４】
以上に、ベース部１１がコネクタ１３を支持する構成について説明した。次に、上記構成の動作を説明する。
【００４５】
図６の例において、不意の衝撃などに起因して、アンテナ５がＹ方向に右に倒れたとする。この場合、コネクタ１３が、想像線で示されるように、突起軸３７を中心として、時計回りに回動する。そして、コネクタ１３の下端の制御突起３９が第１制御板３１を押し、第１制御板３１がコネクタ１３と共に時計方向に回動する。このとき、制御突起３９が第２制御板３３の制御穴６７内をＹ方向（長手方向）に移動するので、第２制御板３３は回動しない。
【００４６】
第１制御板３１が時計方向に回動すると、第１制御板３１の右側の曲げ突起８５が、制御ばね７１の第１端部７７を外から時計方向に押す。このとき、制御ばね７３の第２端部７９は、左側からベースリブ８３によって支持されており、動かない。そのため、制御ばね７１が変形し、反力が生じる。
【００４７】
アンテナ５に対する外力がなくなると、制御ばね７１の反力で、第１制御板３１と共にコネクタ１３およびアンテナ５が反時計方向に回る。制御ばね７１は元の形状に戻り、コネクタ１３およびアンテナ５は元のセット位置に戻る。
【００４８】
アンテナ５がＹ方向に左に倒れたときの動作は、上記の右方向に倒れたときの動作の反対である。動作の原理は同様であり、詳細な説明は省略する。この場合は、制御ばね７１の第２端部７９が第１制御板３１の左側の曲げ突起８７に押され、第１端部７７が固定ベース部１７の右側のベースリブ８３に支持され、制御ばね７１が時計方向の弾性反力を生じ、アンテナ５を元のセット位置に復帰させる。
【００４９】
また、アンテナ５がＸ方向に倒れたときの動作も、Ｙ方向の動作と原理的に同じである。アンテナ５がＸ方向に倒れて、コネクタ１３がＸ方向に回動すると、コネクタ１３の制御突起３９が第２制御板３３を押し、第２制御板３３がコネクタ１３と共に回動する。このとき、制御突起３９が第１制御板３１の制御穴６５内をＸ方向に移動するので、第１制御板３１は回動しない。
【００５０】
第２制御板３２の回動に伴い、第２制御板３２の曲げ突起８５が制御ばね７３の第１端部７７を押し、回動ベース部１７のベースリブ８５が第２端部７９を支持する。あるいは、曲げ突起８７が第２端部７９を押し、ベースリブ８１が第１端部７７を支持する。こうして制御ばね７３が変形して反力（復元力）が生じる。アンテナ５への外力がなくなると、コネクタ１３およびアンテナ５が上記反力の作用でセット位置に復帰する。
【００５１】
このようにして、本実施の形態では、Ｘ方向およびＹ方向のどちらの外力がアンテナ５に作用した場合にも、アンテナ５の根元のコネクタ１３がフレキシブルに回動し、それから元の位置に復元する。したがって、ＸＹ平面上の任意の方向の外力に対して同様の機能が得られ、コネクタ１３がフレキシブルに回動して、元の位置に自然に戻る。
【００５２】
以上に、コネクタ１３のフレキシブル支持構造の構成と動作を説明した。次に、ベース部１１の横臥、起立を実現するベース駆動機構１９について、図３の分解斜視図と共に、図７の側面図および図８の平面図を参照して説明する。
【００５３】
概略的には、回動ベース部１７が固定ベース部１５に対してＸ方向に回動可能であり、また、スライドフレーム１０１が固定ベース部１５に対してＸ方向にスライド可能である。そして、スライドフレーム１０１と回動ベース部１７の間にギヤ機構が設けられている。このギヤ機構によって、スライドフレーム１０１のスライドに応じて回動ベース部１５が起立位置と横臥位置の間で回動する。図７、図８では、アンテナ５およびコネクタ１３が起立位置にある。
【００５４】
固定ベース部１５は、板状の部材であり、Ｘ方向の両側にばね支持壁部１０３と突当て壁部１０５が立設されている。また、固定ベース部１５のＹ方向の両側には、ベアリング固定板１０７が立っている。ベアリング固定板１０７の穴にベアリング１０９が嵌っており、ベアリング１０９にギヤシャフト５１が回転可能に支持されている。そして、ギヤシャフト５１の四角形のフランジ部が、回動ベース部１７の四角形の凹部に嵌っており、これによりギヤシャフト５１と回動ベース部１７は一緒に回動する。
【００５５】
回動ベース部１７は、図示のように、固定ベース部１５の略中央に配置されている。スライドフレーム１０１は、回動ベース部１７を取り囲むようにして、固定ベース部１５の上に載せられている。スライドフレーム１０１は、固定ベース部１５のばね支持壁部１０３と突当て壁部１０５の間でＸ方向にスライドできる。以下、ばね支持壁部１０３に向かう方向を、押込み方向といい、突当て壁部１０５に向かう方向を引出し方向という。
【００５６】
スライドフレーム１０１のＹ方向の両側には、ラックである駆動ギヤ１１１が設けられている。駆動ギヤ１１１は、スライドフレーム１０１の上端にて、Ｘ方向に延びている。より詳細には、スライドフレーム１０１の一部が高くなっており、この高い部分の上端にラックの歯が設けられている。駆動ギヤ１１１は、ギヤシャフト５１の従動ギヤ１１３と噛み合っている。
【００５７】
スライドフレーム１０１の押込み方向の端面からは、２本のばね保持突起１２１が突き出しており、各ばね保持突起１２１にはコイルばね１２３が嵌っている。図７の起立状態では、コイルばね１２３が、スライドフレーム１０１の端面と固定ベース部１５のばね支持壁部１０３とに挟まれて収縮している。この状態で、スライドフレーム１０１がミニサイドラッチ１２５に保持されている。
【００５８】
図９を参照すると、ミニサイドラッチ１２５は、対象部材Ａを保持する小型の装置であり、ミニサイドロックともいわれる。ミニサイドラッチ１２５は、進退可能なロック爪１２７を有している。対象部材Ａ（本実施の形態ではスライドフレーム）がミニサイドラッチ１２５のロック爪１２７に向かって進行し、ロック爪１２７に接触し、さらに所定距離だけ進むと、ロック爪１２７が持ち上がり、対象部材Ａを保持する（ロック状態）。ロック状態から対象部材Ａがさらに押し込まれると、ロックが解除され、対象部材Ａは後退できる。対象部材Ａが後退すると、内蔵されたばねの作用でロック爪１２７が対象部材Ａに追従する。そして、ロック爪１２７は途中で対象部材Ａを離して下方に下がり、元の位置へ戻る。
【００５９】
図７に戻ると、ミニサイドラッチ１２５は、固定ベース部１５に固定されており、ロック爪１２７がロック状態にある。ロック爪１２７は、ばね支持壁部１０３の穴を通ってスライドフレーム１０１の押し込み方向端部に達しており、スライドフレーム１０１の下端を掴んでいる。これにより、スライドフレーム１０１は、コイルばね１２３により押し戻されることなく保持されている。
【００６０】
一方、スライドフレーム１０１の引出し方向の端部では、ボタン９が以下のようにして設けられている。
【００６１】
スライドフレーム１０１の引出し方向の端面からは、２つのボタン支持壁１３１が突き出している。ボタン９からはＹ方向の両側に軸１３３が突き出している。軸１３３がボタン支持壁１３１の穴に嵌っており、したがって、ボタン９は上下に揺動可能にスライドフレーム１０１に連結されている。
【００６２】
固定ベース部１５にはストップ突起１３５が設けられている。ストップ突起１３５は、突当て壁部１０５の近傍に位置している。図７の起立状態では、ボタン１０９の端部は、ストップ突起１３５の近くに位置している。より詳細には、ボタン１０９の下部に切欠き部１３７が設けられており、切欠き部１３７の下にストップ突起１３５が位置している。  また、スライドフレーム１０１の引出し方向の端部には、板ばね１３９が備えられている。板ばね１３９の端部がスライドフレーム１０１のスリットにはめ込まれており、板ばね１３９は引出し方向に延びて、ボタン９を下方に押さえつけている。板ばね１３９は、ボタン９を上方に回動するときにボタン９に反力を付与する。これにより、板ばね１３９の不用意な回動が防止される。また、板ばね１３９により、適度な操作感覚が得られる。
【００６３】
以上に、ベース部１１の構成について、ベース駆動機構１９を中心に説明した。次に、ベース駆動機構１９の動作を説明する。
【００６４】
まず、アンテナ５およびコネクタ１３を横臥状態から起立させるときの動作を説明する。このとき、回動ベース部１７は横臥位置から起立位置まで回動する。
【００６５】
図７には、横臥状態の回動ベース部１７、スライドフレーム１０１およびボタン９が、想像線（２点鎖線）で示されている。横臥状態では、スライドフレーム１０１は、引出し方向にあって、コイルばね１２３に押されて突当て壁部１０５に突き当たっている。そして、ボタン９も引出し方向に後退している。回動ベース部１７は、コネクタ１３が横を向くような角度位置にある。
【００６６】
この状態から操作者によってボタン９が押し込まれる。ボタン９が押されると、ボタン９と連動してスライドフレーム１０１が押込み方向に移動する。スライドフレーム１０１の移動に伴ってコイルばね１２３が圧縮される。スライドフレーム１０１の端部がミニサイドラッチ１２５に達すると、スライドフレーム１０１がロック爪１２７に掴まれ、これによりスライドフレーム１０１がロックされ、保持される。
【００６７】
スライドフレーム１０１のスライドに伴ってギヤ機構が機能する。すなわち、駆動ギヤ１１１が従動ギヤ１１３を回転させ、ギヤシャフト５１が回転し、回動ベース部１７が回動する。スライドフレーム１０１がロックされるときに、回動ベース部１７が９０度回動し、起立位置に達する。コネクタ１３およびアンテナ５も９０度回動して起立する。
【００６８】
起立状態では、ボタン９がスライドフレーム１０１と共に押し込まれた位置で保持されている。ボタン９のの押込み方向にはストップ突起１３５が存在している。また、ボタン９は上から板ばね１３９で押さえられている。したがって、ボタン９に不用意に物体（手、指等を含む）が当たっても、ボタン９は、起立状態から先には押し込まれない。これにより、誤操作が防止されている。
【００６９】
次に、図１０および図１１を参照し、アンテナ５およびコネクタ１３を起立状態から横臥させるときの動作を説明する。このとき、回動ベース部１７は起立位置から横臥位置まで回動する。
【００７０】
起立状態では、ボタン９は、上記の起立動作で押し込まれた位置に保持されている。横臥動作では、ボタン９がさらに操作者によって押し込まれる。
【００７１】
ただし、上述したように、ボタン９の押込み動作は、ストップ突起１３５と板ばね１３７によって制限されている。そこで、図１０に想像線で示すように、ボタン９が上方に持ち上げられ、それから押し込まれる。板ばね１３７が変形し、ボタン９が軸１３３を中心に回動して持ち上がり、ストップ突起１３５を乗り越えて、押込み方向に移動する。これにより、スライドフレーム１０１が、起立状態の位置よりもさらに少し押し込まれる。ミニサイドラッチ１２５のロック爪１２７が押し込まれ、ロックが解除される。そして、スライドフレーム１０１は、図１１に示されるように、コイルばね１２３の反力で引出し方向に移動し、突当て壁部１０５に突き当たり、この位置で保持される。
【００７２】
上記の過程で、ボタン９の操作に連動して、スライドフレーム１０１は、押込み方向に少し移動してから、引出し方向に戻る。これに伴い、ギヤ機構が機能して、回動ベース部１７は、図１０に想像線で示されるように、横臥方向と少し反対に回動し、それから、図１１に想像線で示すように横臥方向に回動する。スライドフレーム１０１が突当て壁部１０６まで移動すると、回動ベース部１７も起立位置から９０度回動して、元の横臥位置に戻る。そして、コネクタ１３およびアンテナ５も横臥し、アンテナ５が収納状態になる。
【００７３】
ここで、図２に示したように、本実施の形態では、２本のアンテナ５が並んで立っている。２本のアンテナ５は、アンテナ長さの２倍以下の所定距離だけ離れて立っている。受信機１の両側のボタン９が押されると、２本のアンテナ５がお互いに向かって倒れ込む。このとき、倒れ込みの途中で２本のアンテナ５が接触すると、コネクタ１３の弾性支持機構（弾性位置決め機構２１）が機能して、２本のアンテナ５がＹ方向に反対に少し傾き（機器の長手方向に垂直方向であって互いに反対側に傾き）、互いに接触しながらすれ違うようにして倒れ込む。アンテナ５の断面が円形なので、２本のアンテナ５はスムーズにすれ違う。そして、２本のアンテナ５は、図２に示すように、互いに反対を向いて、並んで横臥する。このような動作は、上述の回動ベース部１７の駆動機構に加えて、コネクタ１３の弾性支持機構（弾性位置決め機構２１）を備えたことによって好適に実現されている。２つのアンテナ装置３を単純に向き合わせる簡単な構成と配置において、２つのアンテナ５を並んでコンパクトに収納できる。
【００７４】
特に、本実施の形態の受信機１では、筐体が薄型であり、筐体の大きさが制限されている。そして、ダイバーシティアンテナを構成するための２本のアンテナ５の位置も制約されている。具体的には、２本のアンテナ５は筐体の細長い上面に並んで立てられ、より詳細には上面の両端付近に立てられる。そして、２本のアンテナの間隔が、アンテナ１本の長さの２倍以下であり、より詳細には、１本のアンテナの長さに近い大きさである（１本のアンテナの長さよりは大きい所定の間隔）。この場合、アンテナ５を横臥しようとすると、２本のアンテナ５をお互いに向かって横臥させる必要がある。このような場合に、本実施の形態の構成は非常に有効である。すなわち、アンテナ保持部７を単純に向き合わせる簡単な構成にて、弾性位置決め機構２１が好適に機能し、２本のアンテナ５が並んでコンパクトに収容される。
【００７５】
次に、図１２は、本実施の形態におけるアンテナ装置３の防滴構造を示している。図示のように、コネクタ１３の外周の溝に、蛇腹タイプのフローティングゴムカバー１５１がはめ込まれている。フローティングゴムカバー１５１が、回転ベース部１５の上部に備えられたゴム支持環部１５３の回りに嵌り、回転ベース部１５を覆っている。アンテナ５が倒れ、コネクタ１３が回動すると、フローティングゴムカバー１５１が変形する。フローティングゴムカバー１５１によって、水等の進入を防止できる。
【００７６】
以上に本発明の実施の形態に係るアンテナ装置３について説明した。本実施の形態によれば、アンテナ５が接続されるコネクタ１３を所定のセット位置に弾力的に位置決めする機構を備えたので、アンテナ固定部根元がフレキシブルに動ける。アンテナ５に負荷がかかるとアンテナ５が倒れ、そして、負荷がなくなるとアンテナ５がセット位置に戻る。したがって、不意の衝撃などでアンテナ５に負荷が加わったときの損傷を防ぐことができる。
【００７７】
また、本実施の形態では、コネクタ１３は、互いに交差した第１の回動軸および第２の回動軸によってベース部１１に支持されている。弾性位置決め機構２１は、第１の回動軸を中心としてコネクタ１３と共に回動する第１の位置決め部材と、第２の回動軸を中心としてコネクタ１３と共に回動する第２の位置決め部材と、第１の位置決め部材の回動に対抗する弾性力を第１の位置決め部材に付与する第１の弾性部材と、第２の位置決め部材の回動に対抗する弾性力を前記第２の位置決め部材に付与する第２の弾性部材とを備えている。このような構成により、２つの軸を中心としてアンテナを回動可能に支持し、各軸回りの回動に対抗する弾性力を付与するといった比較的簡単な構成によって、アンテナを弾性的に位置決めする機構を実現できる。
【００７８】
なお、上記の実施の形態では、第１制御板３１および第２制御板３３が第１の位置決め部材および第２の位置決め部材に相当し、制御ばね７１、７３が第１の弾性部材および第２の弾性部材に相当している。
【００７９】
また、本実施の形態では、操作部に対する操作に連動してベース駆動機構１９が回動ベース部１７を固定ベース部１５に対して起立位置と横臥位置の間で回動させるので、アンテナのセッティングおよび収納作業の手間と時間を削減できる。
【００８０】
また、本実施の形態では、ボタン操作に連動して固定ベース部１５に対してスライドするスライドフレーム１０１を設け、スライドフレーム１０１と回動ベース部１７にギヤ機構を設け、起立状態と横臥状態でスライドフレーム１０１を保持する機構を設けるといった比較的簡単な構成によって、ベース駆動機構１９を実現することができる。そして、ボタン操作で収納とセッティングが可能になり、作業の手間と時間を削減できる。
【００８１】
本実施の形態では、スイッチタイプのボタンを押し込む操作で、ワンタッチで、アンテナのセッティングと収納ができ、作業が非常に簡単で迅速である。
【００８２】
なお、本実施の形態では、ミニサイドラッチ１２５が、回動ベース部１７を起立位置に回動した状態でスライドフレーム１０１を保持する起立状態保持機構に相当し、突当て壁部１０５とコイルばね１２３が、回動ベース部１７を横臥位置に回動した状態でスライドフレーム１０１を保持する横臥状態保持機構を構成している。
【００８３】
また、本実施の形態では、２本のアンテナ５のために２つのアンテナ保持部７が配置されており、各アンテナ保持部７に上述の回動ベース１７の駆動機構１９とコネクタ１３の弾性位置決め機構２１との両方を備えている。これにより、図２を用いて説明したように、ベース駆動機構１９の収納動作時に弾性位置決め機構２１が作用して、２つのアンテナが自然にすれ違うように向きを変える。すなわち、２つのアンテナ５は衝突して停止するのではなく、衝突した後にすれ違い、並んで横臥することになる。したがって、２つのアンテナ保持部７を電子機器上で単純に向き合わせる簡単な構成にも拘わらず、２つのアンテナ５を並んでコンパクトに収納でき、しかも、起立時には２つのアンテナ５を平行に立てることができる。特に、本実施の形態のように薄型の電子機器にダイバーシティ等の２本のアンテナを並んで立てるような構成では、上記のコンパクトな収納が非常に有効である。
【００８４】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００８５】
以上のように、本発明にかかるアンテナ装置は、不意の衝撃などでアンテナに負荷が加わったときの損傷を防ぐことができるという効果を有し、ワイヤレス受信機用アンテナ装置等として有用である。
【図面の簡単な説明】
【００８６】
【図１】本発明の実施の形態に係るアンテナ装置の斜視図
【図２】アンテナ装置が備えられた受信機のアンテナ使用状態とアンテナ収容状態を示す斜視図
【図３】アンテナ装置の分解斜視図
【図４】アンテナ装置を垂直方向に切断した断面図
【図５】アンテナ装置の平面図
【図６】アンテナ装置の弾性位置決め機構とその動作を示す側面図
【図７】ベース部の構成を示す側面図
【図８】ベース部の構成を示す平面図
【図９】ミニサイドラッチを示す図
【図１０】アンテナ装置の動作を示す図
【図１１】アンテナ装置の動作を示す図
【図１２】アンテナ装置の防滴カバー構造を示す図
【図１３】従来のアンテナ装置を受信機と共に示す図
【符号の説明】
【００８７】
１  受信機
３  アンテナ装置
５  アンテナ
７  アンテナ保持部
９  ボタン
１１  ベース部
１３  コネクタ
１５  固定ベース部
１７  回動ベース部
１９  ベース駆動機構
２１  弾性位置決め機構
３１  第１制御板
３３  第２制御板
３７  突起軸
３９  制御突起
５１  ギヤシャフト
７１、７３  制御ばね
１０１  スライドフレーム
１１１  駆動ギヤ１１
１１３  従動ギヤ
【図１】
2006304064.tif 000003
【図２】
2006304064.tif 000004
【図３】
2006304064.tif 000005
【図４】
2006304064.tif 000006
【図５】
2006304064.tif 000007
【図６】
2006304064.tif 000008
【図７】
2006304064.tif 000009
【図８】
2006304064.tif 000010
【図９】
2006304064.tif 000011
【図１０】
2006304064.tif 000012
【図１１】
2006304064.tif 000013
【図１２】
2006304064.tif 000014
【図１３】
2006304064.tif 000015